(57)【特許請求の範囲】
【請求項１】
ボトムプレート上にクッション材を配設し、該クッション材をステッチ意匠が賦形された表皮材で被覆してなる二三輪車用シートの製造装置であって、
成形面にステッチ意匠が形成され、開口周縁部に所定間隔をおいて立壁部が立設された真空凹型と、
該真空凹型の上方で、上枠と下枠との間で前記表皮材を保持する表皮材配設枠と、
該表皮材配設枠を前記真空凹型側へ移動させる昇降装置と、
前記表皮材配設枠の上下両面側に配設され前記表皮材及び前記真空凹型の成形面を加熱する加熱手段と、
前記真空凹型に前記クッション材およびボトムプレートを配設した後で加圧を行う加圧手段と、を備え、
前記表皮材配設枠の前記下枠には、前記表皮材配設枠が前記真空凹型側へ移動したときに前記立壁部に係合可能な切欠部が設けられ、
前記下枠は、前記真空凹型の前記開口周縁部まで移動したときに、前記下枠の上面が前記立壁部の上面と略同一または前記立壁部の上面より低くなるように形成されて、前記表皮材の端末領域が、前記上枠の下面と前記立壁部の上面との間、または前記上枠の下面と前記立壁部の上面及び前記下枠の上面との間で挟持されることを特徴とする二三輪車用シートの製造装置。
【請求項２】
ボトムプレート上にクッション材を配設し、該クッション材をステッチ意匠が賦形された表皮材で被覆してなる二三輪車用シートの製造装置であって、
成形面にステッチ意匠が形成され、開口周縁部に所定間隔をおいて立壁部が立設された凹型と、
該凹型を覆うとともに圧縮空気送出手段に接続された蓋体と、
前記凹型の上方で、上枠と下枠との間で前記表皮材を保持する表皮材配設枠と、
該表皮材配設枠を前記凹型側へ移動させる昇降装置と、
前記表皮材配設枠の上下両面側に配設され前記表皮材及び前記凹型の成形面を加熱する加熱手段と、
前記凹型に前記クッション材およびボトムプレートを配設した後で加圧を行う加圧手段と、を備え、
前記表皮材配設枠の前記下枠には、前記表皮材配設枠が前記凹型側へ移動したときに前記立壁部に係合可能な切欠部が設けられ、
前記下枠は、前記凹型の前記開口周縁部まで移動したときに、前記下枠の上面が前記立壁部の上面と略同一または前記立壁部の上面より低くなるように形成されて、前記表皮材の端末領域が、前記上枠の下面と前記立壁部の上面との間、または前記上枠の下面と前記立壁部の上面及び前記下枠の上面との間で挟持されることを特徴とする二三輪車用シートの製造装置。
【請求項３】
前記昇降装置は、前記表皮材配設が最上部まで上昇したときに、前記表皮材配設枠の前方のみがさらに上昇し、前記表皮材配設枠の前方が上方を向くように構成されていることを特徴とする請求項１または２記載の二三輪車用シートの製造装置。
【請求項４】
前記成形面には、シボ模様が形成された部分とシボ模様が形成されていない部分とが、前記ステッチ意匠を境にして形成されていることを特徴とする請求項１または２記載の二三輪車用シートの製造装置。
【請求項５】
前記成形面には、前記ステッチ意匠を境にして異なるシボ模様が形成されていることを特徴とする請求項１または２記載の二三輪車用シートの製造装置。
【請求項６】
前記シボ模様が形成された部分には、前記表皮材に図柄または文字を賦形するための模様が形成されていることを特徴とする請求項４または５記載の二三輪車用シートの製造装置。
【請求項７】
前記成形面は、前記ステッチ意匠，前記シボ模様に対応する凹凸と、該凹凸に施された印刷と、を備えたマスターモデルを用いて形成されたことを特徴とする請求項４または５記載の二三輪車用シートの製造装置。
【請求項８】
請求項１または請求項３〜７のいずれか１項に記載の二三輪車用シートの製造装置を用いて、ボトムプレート上にクッション材を配設し、該クッション材をステッチ意匠が賦形された表皮材で被覆してなる二三輪車用シートを製造する方法において、
真空凹型の上方で、上枠と下枠からなる表皮材配設枠に表皮材を配設する工程と、
前記表皮材配設枠の上下両面側に配設された加熱手段で、前記表皮材の両面と前記真空凹型の成形面を加熱する工程と、
前記表皮材配設枠を下降させ、該表皮材配設枠と前記真空凹型の開口周縁部とで前記表皮材の端末領域を挟持する工程と、
前記表皮材をステッチ意匠が形成された前記成形面に真空引きして前記表皮材を成形する工程と、
前記成形された表皮材上にクッション材およびボトムプレートを配設して加圧する工程と、
前記表皮材の端末領域と前記ボトムプレートとを固定する工程と、を備え、
前記表皮材配設枠と前記真空凹型の開口周縁部とで前記表皮材の端末領域を挟持する工程は、前記表皮材配設枠を下降させて、前記表皮材の端末領域を、前記上枠の下面と前記開口周縁部に所定間隔をおいて立設された立壁部の上面との間、または前記上枠の下面と前記立壁部の上面及び前記下枠の上面との間で挟持することによって行なうことを特徴とする二三輪車用シートの製造方法。
【請求項９】
請求項２〜７のいずれか１項に記載の二三輪車用シートの製造装置を用いて、ボトムプレート上にクッション材を配設し、該クッション材をステッチ意匠が賦形された表皮材で被覆してなる二三輪車用シートを製造する方法において、
凹型の上方で、上枠と下枠からなる表皮材配設枠に表皮材を配設する工程と、
前記表皮材配設枠の上下両面側に配設された加熱手段で、前記表皮材の両面と前記凹型の成形面を加熱する工程と、
前記表皮材配設枠を下降させ、該表皮材配設枠と前記凹型の開口周縁部とで前記表皮材の端末領域を挟持する工程と、
前記表皮材をステッチ意匠が形成された前記成形面に圧接させて前記表皮材を成形する工程と、
前記成形された表皮材上にクッション材およびボトムプレートを配設して加圧する工程と、
前記表皮材の端末領域と前記ボトムプレートとを固定する工程と、を備え、
前記表皮材配設枠と前記凹型の開口周縁部とで前記表皮材の端末領域を挟持する工程は、前記表皮材配設枠を下降させて、前記表皮材の端末領域を、前記上枠の下面と前記開口周縁部に所定間隔をおいて立設された立壁部の上面との間、または前記上枠の下面と前記立壁部の上面及び前記下枠の上面との間で挟持することによって行ない、
前記表皮材を成形する工程は、前記表皮材配設枠を前記凹型へ下降させた後に、前記上枠の上方に圧縮空気送出手段に接続された蓋体を配設し、該蓋体と前記表皮材との間に圧縮空気を送り込み前記表皮材を前記凹型に圧接させることによって行うことを特徴とする二三輪車用シートの製造方法。
【請求項１０】
前記表皮材は端部に裏布を設けないトリム部を備え、前記表皮材を前記表皮材配設枠と前記真空凹型または前記凹型の前記立壁部とで挟持した状態で、前記トリム部を裁断し、前記表皮材の形状を整えることを特徴とする請求項８または９記載の二三輪車用シートの製造方法。
【請求項１１】
前記表皮材の端末領域と前記ボトムプレートとを固定する工程は、前記クッション材および前記ボトムプレートの加圧を行ったまま、前記表皮材配設枠を上昇させて行うことを特徴とする請求項８または９記載の二三輪車用シートの製造方法。
【発明の詳細な説明】
【０００１】
【発明が属する技術分野】
本発明は二三輪車用シートの製造装置並びに製造方法に係り、特にステッチ意匠を備えた二三輪車用シートの製造装置並びに製造方法に関する。
【０００２】
【従来の技術】
従来から座席の表面には、意匠上の美的観点から、その表面に縫製ステッチ意匠を施された表皮材が知られている。縫製ステッチ意匠は、例えば、高周波ウエルダー加工によって擬似的に形成することが知られている。
【０００３】
また、表皮成形型を用い、パウダースラッシュ成形技術により表皮材を成形し、この表皮材を、そのステッチ意匠模様を入れたい部分で裁断し、ついで各裁断片を縫い合わせた後、この縫製表皮材の縫い合わせ部に沿って縫製ステッチ意匠を施し、更にその裏面に目止め用シールテープを貼付けるという技術が知られているが、繁雑でコストのかかる表皮材の成形工程が必要であった。
【０００４】
また他の技術としては、金型内面の所定位置に縫製ステッチ意匠を転写して形成した表皮材用成形型を用い、パウダースラッシュ成形法によりその表面にステッチ意匠を施した表皮材を成形することも知られている。
【０００５】
さらにまた、予め金型成形により、その表面に縫製表皮材の縫い合わせ部に相当する造形模様を形成するとともに製品外面形状に賦形された熱可塑性合成樹脂からなる表皮材の所望部分に、縫製手段を用いてステッチ意匠を形成し、ついで表皮材の裏面の少なくとも上記ステッチ意匠を包含する範囲に必要に応じて非通気性シール層を裏打ちし、該表皮材及び芯材をそれぞれ発泡成形型の下型と上型の内面にセットしたのち、表皮材の裏面上にポリウレタンフォーム用原液を注入密閉して一体発泡させる技術も知られている（特開平５−３０５６８５号公報参照）。
【０００６】
【発明が解決しようとする課題】
上記縫製表皮材を用いる技術では、表皮材を一旦成形したのち裁断し、この裁断片を縫い合わせて縫製表皮とするため工数が多く、製造コストが高くなり経済的に不利という不都合がある。また、縫製した部位の裏面にはポリウレタンフォーム用原液の漏れを防止するための目止め用シールテープ等非通気性シール層を裏打ちしなければならないが、裁断片の縫製箇所には縫い代のかえりがあって、ここに例えばシールテープを貼った場合エアが溜まりやすく、この部分にエア溜りが生ずると表皮の表面がでこぼこになり見栄え、触感が悪くなるという不都合があった。また、縫製によりステッチ意匠を施す際、上記縫い代分のかえりを折り返して縫製するため部分的に縫い合わせ部に沿う表皮の厚みが２倍になり、他の部分と触感が変わってしまうという問題もあった。
【０００７】
さらに成形型を用いる技術では、金型成形による表皮材の成形と同時にその表面にステッチ意匠を入れるので工数も少なく経済的な技術であるが、縫製糸に対応する凹凸も型の形状で作成するため、通常の真空電鋳金型などで成形すると、縫製表皮材と比較すると見栄えが悪く意匠性に劣るという難点があった。
【０００８】
さらに、予め成形した表皮材に実際の縫製手段を用いてステッチ意匠を形成する技術では、その作業工程の多さなどにおいて、面倒であった。このように、高周波ウエルダー加工による場合には、作り物のイメージが強くでてしまうという不都合があり、電鋳型を用いた技術では、細部の転写性が悪く、縫製品に比して充分な品質ではないという不都合があり、他の技術では、縫製品と同様な縫製手段によってステッチ意匠を付与したりするために、工程が多く面倒であるという不都合があった。
【０００９】
本発明は上記不都合を解消するためになされたものであり、その目的は、実際の縫製ではないのに拘わらず、量産性、防水性、加工コストに優れ、高級イメージを醸し出せるステッチ意匠を備えた二三輪車用シートの製造装置並びに製造方法を提供することにある。
【００１０】
本発明の他の目的は、設計の自由度が確保でき、転写性に優れ、バラエティに富んで、本物の縫製品に比して遜色がない、ステッチ意匠を備えた二三輪車用シートの製造装置並びに製造方法を提供することにある。
【００１１】
【課題を解決するための手段】
前記課題は、本発明の請求項１の二三輪車用シートＳの製造装置によれば、ボトムプレート３０上にクッション材２０を配設し、該クッション材２０をステッチ意匠１４が賦形された表皮材１０で被覆してなる二三輪車用シートの製造装置であって、成形面１ｃにステッチ意匠１４が形成され、開口周縁部１ａに所定間隔をおいて立壁部１ｂが立設された真空凹型１と、該真空凹型１の上方で、上枠２ａと下枠２ｂとの間で前記表皮材１０を保持する表皮材配設枠２と、該表皮材配設枠２を前記真空凹型１側へ移動させる昇降装置８と、前記表皮材配設枠２の上下両面側に配設され前記表皮材１０及び前記真空凹型１の成形面１ｃを加熱する加熱手段３と、前記真空凹型１に前記クッション材２０およびボトムプレート３０を配設した後で加圧を行う加圧手段４と、を備え、前記表皮材配設枠２の前記下枠２ｂには、前記表皮材配設枠２が前記真空凹型１側へ移動したときに前記立壁部１ｂに係合可能な切欠部が設けられ、前記下枠２ｂは、前記真空凹型１の前記開口周縁部1ａまで移動したときに、前記下枠２ｂの上面が前記立壁部１ｂの上面と略同一または前記立壁部１ｂの上面より低くなるように形成されて、前記表皮材１０の端末領域が、前記上枠２ａの下面と前記立壁部１ｂの上面との間、または前記上枠２ａの下面と前記立壁部１ｂの上面及び前記下枠２ｂの上面との間で挟持されることにより解決される。
【００１２】
或いは、圧空成形によって表皮材１０の成形を行っても良い。この場合、請求項２のように、本発明の二三輪車用シートＳの製造装置は、ボトムプレート３０上にクッション材２０を配設し、該クッション材２０をステッチ意匠１４が賦形された表皮材１０で被覆してなる二三輪車用シートＳの製造装置であって、成形面１ｃにステッチ意匠１４が形成され、開口周縁部1ａに所定間隔をおいて立壁部１ｂが立設された凹型と、該凹型を覆うとともに圧縮空気送出手段に接続された蓋体と、前記凹型の上方で、上枠２ａと下枠２ｂとの間で前記表皮材１０を保持する表皮材配設枠２と、該表皮材配設枠２を前記凹型側へ移動させる昇降装置８と、前記表皮材配設枠２の上下両面側に配設され前記表皮材１０及び前記凹型の成形面を加熱する加熱手段３と、前記凹型に前記クッション材２０およびボトムプレート３０を配設した後で加圧を行う加圧手段４と、を備え、前記凹型側に表皮材配設枠２が下降されて前記表皮材１０が前記凹型に配設され、前記表皮材配設枠２の前記下枠２ｂには、前記表皮材配設枠２が前記凹型側へ移動したときに前記立壁部１ｂに係合可能な切欠部が設けられ、前記下枠２ｂは、前記凹型の前記開口周縁部１ａまで移動したときに、前記下枠２ｂの上面が前記立壁部１ｂの上面と略同一または前記立壁部１ｂの上面より低くなるように形成されて、前記表皮材１０の端末領域が、前記上枠２ａの下面と前記立壁部１ｂの上面との間、または前記上枠２ａの下面と前記立壁部１ｂの上面及び前記下枠２ｂの上面との間で挟持されることを特徴とする。
【００１３】
このように、本発明の二三輪車用シートの製造装置は、加熱手段３によって表皮材１０の両面及び成形面１ｃが加熱される構成とされており、表皮材１０が柔軟になるとともに、表皮材１０が成形面１ｃに密着したとき、表皮材１０が金型により冷やされることなく、良好に成形することが可能になる。
また、表皮材配設枠２の下枠２ｂに、立壁部１ｂに係合可能な切欠部が設けられ、下枠２ｂの上面が立壁部１ｂの上面と略同一または立壁部１ｂの上面より低くなるように形成されているため、表皮材１０の端末領域が、上枠２ａの下面と立壁部１ｂの上面との間、または上枠２ａの下面と立壁部１ｂの上面及び下枠２ｂの上面との間で挟持されて保持される。
【００１４】
また、請求項３のように、前記昇降装置８は、前記表皮材配設枠２が最上部まで上昇したときに、前記表皮材配設枠２の前方のみがさらに上昇し、前記表皮材配設枠２の前方が上方を向くように構成されていると好適である。このように構成すると、上下方向に、より広い作業スペースを確保することが可能となる。
【００１５】
このとき、請求項４のように、前記成形面１ｃには、シボ模様が形成された部分１ｄとシボ模様が形成されていない部分１ｆとが、前記ステッチ意匠１ｅを境にして形成されていると好適である。また、請求項５のように、前記成形面１ｃには、前記ステッチ意匠１ｅを境にして異なるシボ模様が形成されていると好適である。このように構成すると、設計の自由度が確保でき、バラエティに富んだステッチ意匠１４を備えた表皮材１０を成形することが可能となる。
【００１６】
さらに、請求項６のように、前記シボ模様が形成された部分１ｄには、前記表皮材１０に図柄または文字を賦形するための模様が形成されていると好適である。このように構成すると、二三輪車用シートＳの識別性の向上や、さらに高級製品イメージを出すことが可能となる。
【００１７】
また、請求項７のように、前記成形面１ｃは、前記ステッチ意匠１ｅ，前記シボ模様１ｄに対応する凹凸と、該凹凸に施された印刷と、を備えたマスターモデルを用いて形成されと好適である。このように構成すると、成形面１ｃのうち、ステッチ意匠１ｅやシボ模様１ｄを成形する部位と、その他の部位とを異なる表面状態とすることができ、成形される表皮材１０において、ステッチ意匠１４やシボ模様１１が成形される部位とその他の部位との艶を異ならせることが可能である。
【００１８】
また、前記課題は、本発明の請求項８の二三輪車用シートＳの製造方法によれば、請求項１または請求項３〜７のいずれか１項に記載の二三輪車用シートの製造装置を用いて、ボトムプレート３０上にクッション材２０を配設し、該クッション材２０をステッチ意匠１４が賦形された表皮材１０で被覆してなる二三輪車用シートを製造する方法において、真空凹型１の上方で、上枠２ａと下枠２ｂからなる表皮材配設枠２に表皮材１０を配設する工程と、前記表皮材配設枠２の上下両面側に配設された加熱手段３で、前記表皮材１０の両面と前記真空凹型１の成形面１ｃを加熱する工程と、前記表皮材配設枠２を下降させ、該表皮材配設枠２と前記真空凹型１の開口周縁部１ａとで前記表皮材１０の端末領域を挟持する工程と、前記表皮材１０をステッチ意匠１４が形成された前記成形面１ｃに真空引きして前記表皮材１０を成形する工程と、前記成形された表皮材１０上にクッション材２０およびボトムプレート３０を配設して加圧する工程と、前記表皮材１０の端末領域と前記ボトムプレート３０とを固定する工程と、を備え、前記表皮材配設枠２と前記真空凹型１の開口周縁部１ａとで前記表皮材１０の端末領域を挟持する工程は、前記表皮材配設枠２を下降させて、前記表皮材１０の端末領域を、前記上枠２ａの下面と前記開口周縁部１ａに所定間隔をおいて立設された立壁部１ｂの上面との間、または前記上枠２ａの下面と前記立壁部１ｂの上面及び前記下枠２ｂの上面との間で挟持することによって行なうこと、により解決される。
【００１９】
或いは、圧空成形によって表皮材１０の成形を行っても良い。この場合、請求項９のように、本発明の二三輪車用シートＳの製造方法は、請求項２〜７のいずれか１項に記載の二三輪車用シートの製造装置を用いて、ボトムプレート３０上にクッション材２０を配設し、該クッション材２０をステッチ意匠１４が賦形された表皮材１０で被覆してなる二三輪車用シートを製造する方法において、凹型の上方で、上枠２ａと下枠２ｂからなる表皮材配設枠２に表皮材１０を配設する工程と、前記表皮材配設枠２の上下両面側に配設された加熱手段３で、前記表皮材１０の両面と前記凹型の成形面１ｃを加熱する工程と、前記表皮材配設枠２を下降させ、該表皮材配設枠２と前記凹型の開口周縁部１ａとで前記表皮材１０の端末領域を挟持する工程と、前記表皮材１０をステッチ意匠１４が形成された前記成形面１ｃに圧接させて前記表皮材１０を成形する工程と、前記成形された表皮材１０上にクッション材２０およびボトムプレート３０を配設して加圧する工程と、前記表皮材１０の端末領域と前記ボトムプレート３０とを固定する工程と、を備え、前記表皮材配設枠２と前記凹型の開口周縁部１ａとで前記表皮材１０の端末領域を挟持する工程は、前記表皮材配設枠２を下降させて、前記表皮材１０の端末領域を、前記上枠２ａの下面と前記開口周縁部１ａに所定間隔をおいて立設された立壁部１ｂの上面との間、または前記上枠２ａの下面と前記立壁部１ｂの上面及び前記下枠２ｂの上面との間で挟持することによって行ない、前記表皮材１０を成形する工程は、前記表皮材配設枠２を前記凹型へ下降させた後に、前記上枠２ａの上方に圧縮空気送出手段に接続された蓋体を配設し、該蓋体と前記表皮材１０との間に圧縮空気を送り込み前記表皮材１０を前記凹型に圧接させることによって行うこと、により解決される。
【００２０】
また、請求項１０のように、前記表皮材１０は端部に裏布１０ｂを設けないトリム部を備え、前記表皮材１０を前記表皮材配設枠２と前記真空凹型１または前記凹型の前記立壁部１ｂとで挟持した状態で、前記トリム部を裁断し、前記表皮材の形状を整えると好適である。このように構成すると、表皮材１０を裁断して所定形状に整えたとき、トリム部が裏布１０ｂを含まず単一の樹脂素材となるためにリサイクルがし易くなる。
【００２１】
また、請求項１１のように、前記表皮材１０の端末領域と前記ボトムプレート３０とを固定する工程は、前記クッション材２０および前記ボトムプレート３０の加圧を行ったまま、前記表皮材配設枠２を上昇させて行うと好適である。このように構成すると、加圧手段４で加圧したまま、表皮材１０の端末処理が行われるので、表皮材１０を適度なテンションをもってボトムプレート１３へ取着することができ、外観上良好な車両用シートを得ることが可能である。
【００２２】
【発明の実施の形態】
本発明は、二三輪車用シートの製造装置並びに製造方法に係り、二三輪車用シートＳは、ボトムプレート上にクッション材２０を載置して、ポーラス電鋳真空成形金型又はセラミック真空成形金型１により成形された表皮材１０で被覆されている。
【００２３】
表皮材１０は表皮１０ａと、裏布１０ｂとが積層して形成されている。表皮材１０の表面側には、ステッチ意匠（糸目模様）１４が形成されており、このステッチ意匠１４を境に、シボ模様が付された部分１１と、シボ模様が付されていない部分１２（或いは異なるシボ模様の部分）とが分けて形成されている。このように、ステッチ意匠１４を境に、シボ模様の有無、シボ模様を異ならしめるなどをして形成してもよい。また表皮材１０は破断伸びで２００％程度以上としている。
【００２４】
なお、より高い意匠的効果を得るために、表皮材１０のステッチ意匠１４やシボ模様１１が付された部位と、ステッチ意匠１４やシボ模様１１が付されていない部位とで、異なる艶となるようにしても良い。
【００２５】
このように、ステッチ意匠１４やシボ模様１１が付された部位と、ステッチ意匠１４やシボ模様１１が付されていない部位とで、異なる艶となるようにするためには、表皮材１０を成形する金型について、金型の成形面のうち、ステッチ意匠１４やシボ模様１１を成形する部位と、その他の部位とで異なる表面状態とすることにより実現することができる。
【００２６】
そして、上記のように、金型の成形面のうち、ステッチ意匠１４やシボ模様１１を成形する部位と、その他の部位とで異なる表面状態とするために、例えば、ステッチ意匠，シボ模様に対応する凹凸と、この凹凸に施された印刷と、を備えたマスターモデルを使用して成形金型を形成すると良い。
【００２７】
また、表皮材１０には、裏布１０ｂが形成されていない部分が設けられている。裏布１０ｂが形成されていないのは、表皮材１０のトリム部であり、このように構成されていることにより、二三輪車用シート製造時に表皮材１０を裁断して所定形状に整えたとき、トリム部が、裏布１０ｂを含まず単一の樹脂素材となるためにリサイクルがし易くなる。
【００２８】
なお、表皮材１０を裁断して所定形状に整えるときは、表皮材１０を、ポーラス電鋳真空成形金型又はセラミック真空成形金型１の縁部に予め取り付けられている針に係合してセットし、その後に裁断すると良い。
【００２９】
本例の二三輪車用シートＳの表皮材１０を成形するためのポーラス電鋳真空成形金型又はセラミック真空成形金型１は、金型内側の成形面１ｃにシボ模様が形成された部分１ｄと、ステッチ意匠が形成されている部分１ｅを境として、シボ模様が形成されていない部分１ｆとを備えている。なお、シボ模様が形成されていない部分１ｆを異なるシボ模様とすることもできる。
【００３０】
さらに、ポーラス電鋳真空成形金型又はセラミック真空成形金型１の内面側のシボ模様が形成された部分１ｄには、所定の図柄または文字が形成されている。所定の図柄または文字は、例えば、製品マークを示す文字１ｇなどであり、これらの図柄や文字を付すことにより、二三輪車用シートＳの識別性の向上や、さらに高級製品イメージを出すことが可能となる。
【００３１】
また、従来では、表皮材１０に図柄や文字を付す場合、或いはステッチ意匠を付す場合は、別工程によって行っていたが、本例では、表皮材１０の成形と、シボ模様の転写と、図柄，マークの転写，ステッチ意匠を同一の金型において同時に形成することができ、工数を大幅に削減することが可能となる。
【００３２】
【実施例】
以下、本発明の一実施例を図面に基づいて説明する。なお、以下に説明する部材，配置等は本発明を限定するものでなく、本発明の趣旨の範囲内で種々改変することができるものである。
【００３３】
図は本発明の実施例を示すものであり、図１はシートを搭載した自動二輪車の例を示す説明図、図２及び図３は表皮材のステッチ意匠の部分拡大図、図４は表皮材のステッチ意匠の裏面から見た説明図、図５はシートの部分断面説明図、図６は表皮材を説明する部分断面図、図７はシートの他の例を示す部分断面説明図、図８はシートの更に他の例を示す部分断面説明図、図９はポーラス電鋳真空成形金型を示す説明図、図１０乃至図１５は二三輪車用シートの製造装置及び、表皮材の成形工程と二三輪車用シートの製造工程を示す説明図である。
【００３４】
本例では、図１で示されるように、二輪車（スクータタイプ）に用いられる二三輪車用シートＳを例にしており、本例の二三輪車用シートＳは、表皮材１０と、クッション材２０と、ボトムプレート３０とから構成されている。この二三輪車用シートＳは、ボトムプレート３０上にクッション材２０を載置して表皮材１０で被覆しており、表皮材１０の端末部をボトムプレートにステイプル（不図示）などにより固着している。
【００３５】
本例の表皮材１０は、破断伸びで２００％程度以上のものを使用しており、通気性を有する材料からなる金型を用いて、表皮材１０の表面に、図２及び図３で示すように、ステッチ意匠（糸目模様）１４やシボ模様１１を形成している。
【００３６】
通気性を有する材料からなる金型１として、例えば、ポーラス電鋳真空成形金型又はセラミック真空成形金型１を用いる。或いは、成形面に多数の微細な孔が穿設された金型を使用する。成形面に多数の微細な孔を穿設する場合は、加工が容易な樹脂型を用いると好適である。
【００３７】
例えば、加熱軟化させたシート状の表皮材１０を、通気性を有する材料からなる金型の多数の微小穴から吸引し、金型に密着させて成形するが、穴径が大きいと転写性の良いシート材の場合には穴部が一緒に転写されて表面がざらざらになる等の不具合が生じる。このため、金型には、なるべく微細な穴を形成して穴部が転写されるのを防止する。
【００３８】
ポーラス電鋳体を製造するには、電解液に浸漬した模型の表面に導電層を形成して陰極にセットし、電解液中のニッケル材を陽極にセットし、電鋳処理時の電流効率を所定範囲に設定して電鋳処理することにより、このロス電流によって気泡を発生させ、これらの気泡をマスターモデル表面に付着させ、これらの気泡を非電着部として作用させることで多数の微小穴を有するようにして製造する。
【００３９】
例えばニッケル材によって電鋳型を製造するには、まずマスターモデルの表面に水素ガスＨ２による気泡が付着するとともに、この気泡が非電着部となってそれ以外のマスターモデルの表面にニッケル金属分子が電着し成長する。このような、電鋳処理によって、気泡の成長と電着の進行が進み、電着の進行に伴い電気分解も同時に行われて、電気分解によって発生したＨ２ガスが気泡へ供給される。つまり、マスターモデルの表面に付着した気泡が徐々に成長して大きくなり、最終的にマスターモデル側の穴径が約１５０μｍ以下となるような多数の穴ｈを有する電鋳殻を成形することが出来る。こうして、電鋳殻が成形されるとマスターモデルから取り出され、不図示の型枠と通気性のあるバックアップが取り付けられてポーラス電鋳真空成形金型として構成される。
【００４０】
このように、通気性を有する材料からなる金型として、例えば多孔質のポーラス電鋳真空成形金型又はセラミック真空成形金型１を用いるため、図１３に示すように、真空引きを行ったとき、表皮材１０は、全ての方向から金型に吸着され、金型内側の成形面１ｃに均一に密着される（なお本例では、以下、ポーラス電鋳真空成形金型として説明する）。
【００４１】
本例では、表皮材１０として、塩化ビニルレザー製の表皮と、この表皮の裏側に一体に設けられた裏布とからなるものを使用している。裏布は、織布であり、例えばメリヤス織りのナイロン繊維から形成されている。
【００４２】
本例では、表皮材１０の端部において、裏布を設けないようにされている。したがって、表皮材１０の形状を整えるために、表皮材１０の端部を裁断したとき、トリム部が表皮からのみなるように構成される。
【００４３】
このように、表皮材１０を裁断したとき、本例ではトリム部が裏布を含まないように構成されているため、リサイクルする場合に、再生処理が容易となる。
【００４４】
なお、表皮材１０のトリムは、後述する二三輪車用シートＳの製造工程において、表皮材１０を、配設枠２の上枠２ａと、ポーラス電鋳真空成形金型１の立壁部１ｂとの間で保持したときに行うと良い。
【００４５】
また、本例では、表皮材１０として、破断伸びで２００％程度以上のものを使用しているので、ステッチ意匠（糸目模様）１４やシボ模様１１の賦形が充分に行われ、図６で示すように、ステッチ意匠１４の突起が明確に転写される。
【００４６】
また、ポーラス電鋳真空成形金型１であるため、ステッチ意匠（糸目模様）１４と、細かいシボ模様や複雑な図形などを、金型内側の成形面１ｃに忠実に再現することができ、デザイン性に富んだ成形品のための金型とし、このポーラス電鋳真空成形金型によって表皮材全体を金型面に吸引して転写して、明確な賦形により表皮材にシボ模様と、ステッチ意匠を形成することが可能となる。このとき、真空引きと同時に圧空成形のように、表皮材１０に空気圧力を加えることにより、より明確な転写を行うことが可能となる。
【００４７】
上記のように、表皮材１０の成形について通気性を有する材料からなる金型を用いて真空成形する他、圧空成形により成形を行っても良い。圧空成形の場合は、圧空成形用金型に加熱軟化させたシート状の表皮材１０をセットし、金型内に圧縮空気を送り込んで表皮材１０を金型に圧接させて成形する。圧空成形では高い圧力で表皮材１０を成形できるため、より鮮明に、ステッチ意匠１４やシボ模様１１を賦形することが可能となる。
【００４８】
なお、ステッチ意匠１４やシボ模様１１が賦形された部位と、他の部位とで艶が異なるようにしても良い。例えば、ステッチ意匠１４は糸目を表したものであるため、ステッチ意匠１４の部分を艶消しにし、他の部分はステッチ意匠１４の部分よりも艶を有する外観とする。これにより、ステッチ意匠１４の部分について、さらに実際の糸目に近い外観とすることが可能となる。
【００４９】
また、シボ模様１１が賦形されている場合は、シボ模様１１が賦形されている部分を艶消しにし、シボ模様１１のない部分は艶のある状態とする。これにより、シボ模様１１の賦形された部分をより天然皮革に近い外観とすることができる。
【００５０】
上記のように、表皮材１０の部位によって艶の状態を変化させるため、本例では、ポーラス電鋳真空成形金型１の成形面について、ステッチ意匠１４やシボ模様１１を賦形する部分と、それ以外の部分とで表面状態が異なるようにしている。
【００５１】
すなわち、ステッチ意匠１４やシボ模様１１を賦形する部分の表面状態を、他の部分の表面形状よりも粗い状態とする。これにより、粗い表面状態の部分で成形された表皮材１０の部分は、表面状態が反映されて艶消し状態となり、それ以外の部分は、より艶のある状態として成形される。
【００５２】
本例では、金型のマスターモデルに印刷を行うことにより、上記のように、部位によって表面状態が異なる金型を形成する。すなわち、金型を作成するときには、先ず金型の模型となるマスターモデルを作成するが、このマスターモデルに、シルクスクリーン印刷等の手法により印刷を行う。これにより、印刷が施された部分について、他の部分よりも粗い表面状態とすることができるものである。
【００５３】
マスターモデルの表皮材（以下、マスターモデル表皮材という）は、シボ模様の部分は天然皮革から構成されており、それ以外の部分はポリ塩化ビニル等の合成皮革から構成されている。マスターモデル表皮材は、所定形状に裁断された裁断片を縫製により縫合して形成されている。
【００５４】
そして、裁断片を縫合している糸目が金型に転写されて、二三輪車用シートＳのステッチ意匠１４となり、天然皮革の表面形状が金型に転写されて二三輪車用シートＳのシボ模様となるものである。
【００５５】
本例では、マスターモデル表皮材のうち、裁断片を縫合している糸目の部分と、天然皮革の部分に印刷が施される。これにより、製品となった二三輪車用シートＳのステッチ意匠１４の部分と、シボ模様１１の部分について、艶消し状態となる。
【００５６】
なお、印刷は、立体形状のマスターモデルが完成した後に行っても良く、或いは、マスターモデル作成前のマスターモデル表皮材に対して行っても良い。本例のように、シボ模様１１の部分を含め、比較的広範囲に印刷が行われる場合は、平坦状の表皮材に印刷を行う方が効率良く印刷を行うことができ好適である。
【００５７】
印刷を行う際は、先ずマスターモデル表皮材を印刷台の上に配設する。そして、印刷台上に配設されたマスターモデル表皮材に対して、基準位置に基づいて、糸目の上または天然皮革の部分に印刷を行う。
【００５８】
印刷で用いられるインキは、例えば、ビニール樹脂、アクリル樹脂、ポリエステル樹脂等の熱可塑性樹脂を皮膜形成成分とするものが用いられ、特に、ポーラス電鋳真空成形金型である場合は、電解浴での耐薬品性のある材料が選択される。
【００５９】
印刷は、例えばシルクスクリーン印刷により行うが、これに限らず、グラビア印刷、オフセット印刷、オフセットグラビア印刷、凸版印刷、フレキソ印刷等の他の印刷手段や、転写手段を用いても良い。
【００６０】
上記印刷が施されたマスターモデル表皮材を用いて、立体形状のマスターモデルが作成される。そして、このマスターモデルに基づいてポーラス電鋳真空成形金型が形成される。ポーラス電鋳真空成形金型には、マスターモデルの糸目による糸目模様と、天然皮革によるシボ模様が反映されており、さらに、印刷が施された箇所は、他の部分よりも粗い表面状態に形成される。
【００６１】
上記のように形成されたポーラス電鋳真空成形金型１を用いて、二三輪車用シートＳの製造が行われる。以下、表皮材１０の成形及び二三輪車用シートＳの製造について説明する。本例では、図１０に示すような製造装置を用いて、表皮材１０の成形及び二三輪車用シートＳの製造を行う。
【００６２】
本例の二三輪車用シートＳの製造装置は、ポーラス電鋳真空成形金型１と、表皮材１０の配設枠２と、表皮材１０を加熱するヒータ３と、二三輪車用シートの構成部材を加圧する加圧手段４とを備えている。
【００６３】
ポーラス電鋳真空成形金型１は、表皮材１０の真空引きを行って所定形状に成形するとともに、二三輪車用シートＳの構成部材が配設され、組み付けが行われる。ポーラス電鋳真空成形金型１の配設面には、真空装置Ｖと連結された吸引孔が設けられている。本例では、図１３においてのみ真空装置Ｖを図示している。
【００６４】
図９に、本例のポーラス電鋳真空成形金型１を上から見た状態が示されている。図示されているように、この例のポーラス電鋳真空成形金型１の成形面１ｃには、二三輪車用シートＳのフロント部とサイド部とリヤ部にシボ模様が付されるように、内側面に、シボ模様が形成された部分１ｄと、シボ模様が形成されていない部分１ｆとを備えた構成とされている。そして、これらシボ模様が形成された部分１ｄと、シボ模様が形成されていない部分１ｆとは、ステッチ意匠１ｅを境にしている。なおシボ模様が形成されていない部分１ｆは、異なるシボ模様とすることができる。
【００６５】
上記構成により、本例のポーラス電鋳真空成形金型１で成形された表皮材１０には、図１５に示すように、シボ模様が付された部分１１、シボ模様が付されていない部分１２が、ステッチ意匠（糸目模様）１４を境界線として転写される。なおシボ模様が付されていない部分１２は、異なるシボ模様とすることが可能である。さらに、リヤ部に文字が付された二三輪車用シートＳとすることも可能である。
【００６６】
なお、表皮材１０に、シボ模様だけでなく、文字や図柄を形成することにより、さらに外観を向上させることができる。例えば、二三輪車用シートのリヤ部を覆う表皮材１０に、メーカーロゴや製品ロゴを示す文字を転写しても良い。このとき、ポーラス電鋳真空成形金型１のリヤ部側の金型内側の成形面１ｃには、文字を賦形するための部分１ｇが形成される。
【００６７】
ポーラス電鋳真空成形金型１の開口周縁部１ａには、立壁部１ｂが設けられている。立壁部１ｂは、ポーラス電鋳真空成形金型１の開口周縁部１ａに、所定間隔をおいて立設して設けられている。立壁部１ｂは、次述する表皮材１０の配設枠２のうち、上枠２ａの下側面との間で、表皮材１０を挟持して保持するものである。
【００６８】
なお、ポーラス電鋳真空成形金型１を、受け台５のシャフト５ａの回りにおいて、傾倒及び回動可能な構成としても良い。これにより、表皮材１０の端末部をステイプルによりボトムプレート３０に固着させる作業を行うときに、作業箇所を常に作業者の好適な位置におくことが可能となる。
【００６９】
表皮材１０の配設枠２は、上枠２ａと下枠２ｂとから構成されている。上枠２ａ及び下枠２ｂは、表皮材１０の形状よりも若干小さい中空部を有するドーナツ形状に形成されている。
【００７０】
下枠２ｂには、ポーラス電鋳真空成形金型１の立壁部１ｂを避けて、ポーラス電鋳真空成形金型１の開口周縁部１ａに密着できるように、且つ立壁部１ｂに係合可能な切欠部が設けられている。また、下枠２ｂは、ポーラス電鋳真空成形金型１の開口周縁部１ａに密着して配設されたときに、下枠２ｂの上面が、立壁部１ｂの上面と略同一の厚さかそれより低くなるように形成されている。
【００７１】
上記構成により、上枠２ａと下枠２ｂとの間に表皮材１０を配設し、上枠２ａと下枠２ｂをポーラス電鋳真空成形金型１の開口周縁部１ａまで下降させて配設したとき、表皮材１０は上枠２ａの下面と、立壁部１ｂの上面との間に挟持されて保持される。
【００７２】
或いは、下枠２ｂの上面が、立壁部１ｂの上面と略面一とされている場合は、表皮材１０は、上枠２ａの下面と、立壁部２ａの上面及び下枠２ｂの上面との間に挟持されて保持される。なお、表皮材１０が保持されたときに、必要であれば、表皮材１０の端末部をトリムし、表皮材１０の形状を整えても良い。
【００７３】
また、下枠２ｂに立壁部１ｂに係合する切欠部を設けない構成としても良い。この場合、上枠２ａと下枠２ｂをクランプ手段により金型に固定することにより、表皮材１０は、上枠２ａと下枠２ｂに挟持されて固定される。
【００７４】
上記配設枠２は、ロッド２ｃと、このロッド２ｃに接続されたエアシリンダからなる昇降装置８を介して、フレーム９に吊設されている。昇降装置８は圧力供給源（本例ではエアー供給源）に接続されており、エアー供給により作動されて、ロッド２ｃを伸縮作動させることで、配設枠２を昇降可能としている。
【００７５】
なお、配設枠２が最上部まで上昇したときに、配設枠２の前方がさらに上方を向くようにすることにより、上下方向に、より広い作業スペースを確保することが可能となる。このために、例えば、配設枠２の左右前後の計４箇所にロッド２ｃを設け、配設枠２が最上部まで上昇したときに、前側に位置するロッド２ｃをさらに上昇させるようにすると良い。
【００７６】
本例の製造装置では、後述するように、上記配設枠２とポーラス電鋳真空成形金型１の開口周縁部１ａで表皮材１０を挟持して、真空成形を行うものであるが、このとき、上記配設枠２をより確実に保持するために、クランプ手段を設けた構成としても良い。
【００７７】
クランプ手段の具体的構成としては、例えば、ポーラス電鋳真空成形金型１に配設される基部と、この基部に設けられるエアシリンダからなる駆動装置と、エアシリンダのピストンロッドに連結されたリンク機構と、リンク機構に接続された軸部と、軸部に設けられた押え部とを備えた構成とし、ポーラス電鋳真空成形金型１の開口側に複数個設けるようにする。
【００７８】
クランプ手段の駆動装置は、導管を介して圧力供給源に接続され、エアー供給により作動されて、リンク機構を介して軸部を回動させることにより、押え部の向きを変更したり、また、軸部を下方に移動させることにより、押え部を下降させてポーラス電鋳真空成形金型１の開口周縁部１ａに押圧するように構成されている。クランプ手段を用いて配設枠２を押圧することにより、表皮材１０の端末部をより確実に固定することが可能となる。
【００７９】
ヒータ３は、配設枠２を上下方向から挟むようにして配設される。ヒータ３は、面状の保持体３ａに複数の加熱ランプ３ｂが配設されており、ポーラス電鋳真空成形金型１の成形面１ｃと、配設枠２の上枠２ａ側及び下枠２ｂ側を加熱するように構成とされている。
【００８０】
ヒータ３は、表皮材１０が真空引きされる前に、表皮材１０とポーラス電鋳真空成形金型１を加熱するためのものである。ヒータ３で表皮材１０及びポーラス電鋳真空成形金型１を加熱することにより、表皮材１０が柔軟になり、また、ポーラス電鋳真空成形金型１に表皮材１０が密着したとき、表皮材１０が金型により冷やされることなく、良好に成形することが可能になる。
【００８１】
ヒータ３は、スライド枠（図示せず）に配設されており、エアーシリンダを駆動源としてスライド枠内を移動し、ポーラス電鋳真空成形金型１の上方に進出したり、後退することができるように構成されている。
【００８２】
なお、スライド機構としては、例えば、ヒータ３側に配設されたローラを、スライド枠側のレールに沿って摺動させることにより、ヒータ３を前後に移動させる。なお、レールの端部にストッパを設け、ヒータ３のローラがストッパの位置まできたときに、ヒータ３の移動を停止させるようにすると良い。
【００８３】
なお、ヒータ３を構成する加熱手段として、上記した加熱ランプではなく、電熱線を設けた構成としても良い。なお、表皮材１０の加熱を行った後は、加熱ランプまたは電熱線への通電が停止される。
【００８４】
加圧手段４は、ロッド４ａと、このロッド４ａに接続されたエアシリンダからなる昇降装置８を介して、フレーム９に吊設されている。加圧手段４は、前記した配設枠２と同様に、昇降装置８の作動によりポーラス電鋳真空成形金型１上において昇降可能とされ、ポーラス電鋳真空成形金型１に配設された二三輪車用シートの構成部材を加圧するように構成されている。
【００８５】
なお、本例では、押え枠２，ヒータ３，加圧手段４、クランプ手段は、エアーシリンダによって作動するものとして説明したが、これに限らず、油圧シリンダ等、他の駆動機構を用いても良いことは勿論である。
【００８６】
表皮材１０の真空成形及び二三輪車用シートＳの組み付けは、上記製造装置Ｓを、所定の手順で作動させることにより行われる。製造装置Ｓの作動は、自動制御或いは手動制御により行われる。自動制御の場合は、温度センサにより加熱状況を監視したり、タイマにより処理時間を計測し、これらセンサやタイマからの情報に基づいて、各手段が自動的に操作されることにより行われる。
【００８７】
また、手動制御により製造装置が作動される場合は、製造装置の近傍に操作盤（図示せず）を設け、この操作盤の複数のスイッチを投入することにより、各手段の動作がなされるようにする。
【００８８】
スイッチは、ポーラス電鋳真空成形金型１，配設枠２，ヒータ３，加圧手段４，クランプ手段，のそれぞれに対応して設けられており、スイッチを操作することにより、各手段を作動させたり、作動を停止できるように構成されている。なお、各手段の作動開始から停止について、タイマを用いて制御するようにしても良い。
【００８９】
先ず、図１０に示すように、表皮材１０を配設枠２の下枠２ｂ上に配設する。次に、図１１に示すように、上枠２ａを降下させ、表皮材１０を上枠２ａと下枠２ｂとの間に位置させる。
【００９０】
次いで、図１２に示すように、ヒータ３により表皮材１０とポーラス電鋳真空成形金型１の成形面１ｃの加熱を行う。本例では、表皮材１０の両面から加熱を行うので、短時間で十分な加熱を行うことが可能となる。
【００９１】
表皮材１０の加熱が終了すると、図１３に示すように、ポーラス電鋳真空成形金型１に向けて配設枠２を下降させる。これにより、下枠２ｂはポーラス電鋳真空成形金型１の開口周縁部１ａに当接し、また、上枠２ａは、立壁部１ｂの上面に当接する。
【００９２】
したがって、上枠２ａと下枠２ｂとの間に配設されていた表皮材１０は、その端末部が、上枠２ａの下面と立壁部１ａの上面との間、または、上枠２ａの下面と、立壁部１ａの上面及び下枠２ｂの上面との間に挟持されて保持される。
【００９３】
このとき、クランプ手段を使用して、上枠２ａを押さえて固定しても良い。クランプ手段を使用することにより、表皮材１０はポーラス電鋳真空成形金型１の開口周縁部１ａにおいて、各端部が均一な力で押さえられ固定される。
【００９４】
次に、図１３に示すように、ポーラス電鋳真空成形金型１にセットされた表皮材１０を真空引きする。このとき、本例では、多孔質のポーラス電鋳真空成形金型１を使用しているので、金型の全面において真空引きがなされる。このため、セットされた表皮材１０は、均一に金型の成形面に密着する。
【００９５】
このようにして、表皮材１０の表面に、ステッチ意匠１４やシボ模様が転写される。本例では、ツートン仕様の二三輪車用シートＳとするため、表皮材１０の表面には、シボ模様の付されている部分１１と、シボ簿模様の付されていない部分１２（或いは異なるシボ模様としている部分でもよい）が、ステッチ意匠１４を境にして形成される。
【００９６】
そして、上記ステッチ意匠１４やシボ模様１１が転写されている部分は、金型の成形面が粗めになっているので、これが反映されて艶消し状態となって成形される。また、リヤ部側には、メーカーロゴや、製品ロゴを示す文字が付されている。なお、この文字の部分について、ステッチ意匠１４やシボ模様１１の部分と同様に艶消し状態としても良い。
【００９７】
以上のようにして、シボ模様の付されている部分１１と、シボ模様の付されていない部分１２との境界部に、ステッチ意匠（糸目模様）１４が賦形された表皮材１０が形成される。なお前述したように、シボ模様の付されていない部分１２は、異なるシボ模様とすることができる。
【００９８】
このようにして成形された表皮材１０は、図２及び図３で示すように、実際には縫製ではないにも拘わらず、あたかも縫製のような外観を呈するものとなる。また表皮材１０の裏面は、図４で示すように、ステッチ意匠１４が賦形された部分に突条のものが形成されているが、穴等は一切形成されていない状況となっている。
【００９９】
表皮材１０が成形されたら、図１４に示すように、真空成形された表皮材１０上に、クッション材２０とボトムプレート３０が載置される。そして、加圧手段４により、ボトムプレート３０側から圧力がかけられる。
【０１００】
そして、加圧手段４で圧力を加えたままで、クランプ手段が解除され、表皮材１０の配設枠２が上昇する。これにより、表皮材１０の端末部が解放されるので、タッカーでステイプルを打ち込むことにより、表皮材１０の端末部をボトムプレート３０に固定する。このとき、ポーラス電鋳真空成形金型１が回転可能な構成とされていれば、端末処理作業がし易くなり、作業効率を向上させることができる。
【０１０１】
最後に、図１５に示すように、クッション材１２とボトムプレート１３を加圧していた加圧手段４を上昇させる。なお、図１５では、二三輪車用シートＳについて、断面ではなく、完成時の外観図として示している。
【０１０２】
本例の製造装置では、加圧手段４で加圧したまま、表皮材１０の端末処理が行われるので、表皮材１０を適度なテンションをもってボトムプレート１３へ取着することができ、外観上良好な二三輪車用シートを得ることが可能である。
【０１０３】
なお、上記したように、凹型としてポーラス電鋳真空成形金型１を使用し、真空成形により表皮材１０を成形する構成の他、圧空成形用金型を使用し、圧空成形により表皮材１０を成形しても良い。
【０１０４】
この場合は、圧縮空気の送出手段に連結された蓋体を、昇降装置８を介してフレーム９に吊設する。そして、表皮材配設枠２を凹型側に向けて下降させ、表皮材１０を凹型に配設した後、上枠２ａの上方に、圧縮空気の送出手段に連結された蓋体を配設し、蓋体と表皮材１０との間に圧縮空気を送り込み、表皮材１０を凹型に圧接させて成形すると良い。
【０１０５】
或いは、上枠２ａを蓋体としても良い。この場合は、上枠２ａを表皮材の全面を覆う形状とし、圧縮空気を送出する圧縮空気送出手段に接続された構成とする。そして、上枠２ａで表皮材１０を固定した後、上枠２ａと表皮材１０との間に圧縮空気を送出し、表皮材１０を凹型に圧接させて成形する。
【０１０６】
図５は、上記表皮材を用いたシートの部分断面を示す説明図であり、この例では、前述のように表皮材１０をポーラス電鋳真空成形金型１で成形するのと同時に、クッション材となる原料及び発泡剤などにより表皮材１０とクッション材２０を一体発泡成形したものである。なお、当然のことながら、クッション材２０を所定形状に形成した後で、表皮材１０をクッション材２０に接着剤を用いて接着するように構成することもできる。
【０１０７】
図７は他のシートの例を示すものであり、この図７で示す例では、クッション材２０として、メインクッション２０ａと、サブクッション２０ｂを用いた例を示すものである。サブクッション２０ｂは、ステッチ意匠１４を境界として一方側の表皮材側に配置するように形成する。この場合には、先ずメインクッション２０ａにサブクッション２０ｂを接着剤などで接合し、さらに図６で示す表皮材を接着剤で接合する例である。
【０１０８】
このようにサブクッション２０ｂを用いると、ステッチ意匠１４を境界として、一方側にもこもこ感を醸しだし、縫製であるかのような状況を、より際だたせることが可能となる。また、この図７の例の場合においても、表皮材１０をポーラス電鋳真空成形金型１で成形し、これにサブクッション２０ｂを表皮材１０に接着し、その後、メインクッション２０ａとなる原料及び発泡剤などにより表皮材１０とサブクッション２０ｂ及びメインクッション２０ａを一体発泡成形することが可能である。
【０１０９】
さらに図８は他の例を示すものであり、本例では、予め表皮材１０をポーラス電鋳真空成形金型１で成形し、この表皮材１０にサブクッション２０ｂをラミネートしておく。その後、メインクッション２０ａを接着剤によって一体に接合したり、或いはサブクッション２０ｂがラミネートされた表皮材１０に、メインクッション２０ａとなる材料等によって一体発泡成形を行うようにすることが可能である。
【０１１０】
このように、１枚の表皮材１０をポーラス電鋳真空成形金型１によって成形するだけで、２種類の表皮材を縫合したようなデザイン性に富んだ二三輪車用シートＳを作成することが可能となる。
【０１１１】
また、従来は別工程で付していた製品マーク等の文字，図柄についても、本例の構成によれば、シボ模様の形成と同時に行うことが可能であり、工数を増加させずに形成することが可能となる。
【０１１２】
【発明の効果】
本発明によれば、設計の自由度が確保でき、転写性に優れ、バラエティに富んで、本物の縫製品に比して遜色がない、ステッチ意匠を備えた表皮材及びシートを得ることが可能となる。以上のように、本発明によれば、実際の縫製ではないのに拘わらず、量産性、防水性、加工コストに優れ、高級イメージを醸し出せるステッチ意匠を備えた表皮材及びシートを提供することが可能となる。
【図面の簡単な説明】
【図１】本発明に係るシートを搭載した自動二輪車の例を示す説明図である。
【図２】本発明に係る表皮材のステッチ意匠の部分拡大図である。
【図３】本発明に係る表皮材のステッチ意匠の部分拡大図である。
【図４】本発明に係る表皮材のステッチ意匠の裏面から見た説明図である。
【図５】本発明に係る表皮材を用いたシートの部分断面説明図である。
【図６】本発明に係る表皮材を説明する部分断面図である。
【図７】本発明に係る表皮材を用いたシートの他の例を示す部分断面説明図である。
【図８】本発明に係る表皮材を用いたシートの更に他の例を示す部分断面説明図である。
【図９】本発明のポーラス電鋳真空成形金型を示す説明図である。
【図１０】二三輪車用シートの製造装置を示す説明図である。
【図１１】表皮材が配設された状態を示す説明図である。
【図１２】ヒータによる表皮材の加熱を示す説明図である。
【図１３】表皮材を真空引きした状態を示す説明図である。
【図１４】二三輪車用シートの構成部材を加圧した状態を示す説明図である。
【図１５】二三輪車用シートが完成した状態を示す説明図である。
【符号の説明】
１  金型
２  配設枠
２ａ  上枠
２ｂ  下枠
３  ヒータ
４  加圧手段
１０  表皮材
１０ａ  表皮
１０ｂ  裏布
１１  シボ模様が付された部分
１２  シボ模様が付されていない部分（異なるシボ模様が形成されている部分）
１４  ステッチ意匠（糸目模様）
２０  クッション材
２０ａ  メインクッション
２０ｂ  サブクッション
３０  ボトムプレート
Ｓ  二三輪車用シート
【図１】
0003896018.tif 000002
【図２】
0003896018.tif 000003
【図３】
0003896018.tif 000004
【図４】
0003896018.tif 000005
【図５】
0003896018.tif 000006
【図６】
0003896018.tif 000007
【図７】
0003896018.tif 000008
【図８】
0003896018.tif 000009
【図９】
0003896018.tif 000010
【図１０】
0003896018.tif 000011
【図１１】
0003896018.tif 000012
【図１２】
0003896018.tif 000013
【図１３】
0003896018.tif 000014
【図１４】
0003896018.tif 000015
【図１５】
0003896018.tif 000016